(57)【要約】【課題】従来に比べて、中心導体の機械的強度が優れた高周波伝送線を提供すること【解決手段】本発明の同軸伝送線の支持構造体は、円形の外部断面と非対称の内部穴とを有し、前記内部穴の一部分が前記外部断面と同軸となっており、前記内部穴の残りの部分が、グランドプレーン（１４）を形成する平坦部分により切り欠かれた形となっている外部導体（１０）と、中心導体（１１）を、前記外部導体の前記外部断面と同軸となるように前記グランドプレーン上から固定された高さで支持する誘電体材料（１２）と、前記内部穴と前記誘電体の平行部分の間にある電磁吸収材料（１３）とを具備する。【選択図】図５
2004335465.tif 000002
【特許請求の範囲】
【請求項１】
同軸伝送線の支持構造体であって、
円形の外部断面と非対称の内部穴とを有し、前記内部穴の一部分が前記外部断面と同軸となっており、前記内部穴の残りの部分が、グランドプレーンを形成する平坦部分により切り欠かれた形となっている外部導体と、
中心導体を、前記外部導体の前記外部断面と同軸となるように前記グランドプレーン上から固定された高さで支持する誘電体材料と、
前記内部穴と前記誘電体の平行部分の間にある電磁吸収材料と、
を具備した支持構造体。
【請求項２】
前記支持構造体の特性インピーダンスが約５０Ωであることを特徴とする請求項１に記載の支持構造体。
【請求項３】
前記誘電体がフッ素化ポリマーであることを特徴とする請求項１に記載の支持構造体。
【請求項４】
前記誘電体がガラスであることを特徴とする請求項１に記載の支持構造体。
【請求項５】
前記誘電体がセラミックであることを特徴とする請求項１に記載の支持構造体。
【請求項６】
前記誘電体が失透ガラスであることを特徴とする請求項１に記載の支持構造体。
【請求項７】
前記電磁吸収材が非導電性バインダ中の鉄であることを特徴とする請求項１に記載の支持構造体。
【発明の詳細な説明】
【技術分野】
【０００１】
本発明は高周波エレクトロニクス用の伝送線の分野に関するものであり、より具体的には同軸伝送線の中心導体の誘電体支持構造に関する。
【背景技術】
【０００２】
高周波信号を伝播する為の伝送線は、一般に電荷を保持することが出来る材料（誘電体）により分離された２つの導体から成る。伝送線にはインピーダンスと最高作動周波数という２つの重要な特性があり、これらはいずれも導体の相対的なサイズ及び間隔と、これらを分離する材料の誘電率により決まる。
【発明の開示】
【発明が解決しようとする課題】
【０００３】
最高作動周波数の制約は、伝送線の寸法が伝播される波長の特定部分よりも大きい場合に致命的な望ましくないモードが生じるという事実により生じるものである。従って、伝送線の作動周波数が大きくなるに従い、伝送線部品の特性寸法は小さくしなければならない。インピーダンス不整合がある場合、信号の一部が反射されて戻ってしまうことから、ラインインピーダンスの制御は重要である。このことから、望まれない反射を最少化する上で、信号経路全体を通じて一定のインピーダンスを維持する必要があるのである。
【０００４】
同軸構造は、通常は空気を誘電体として用いる伝送線の一般的な形態である。標準的な分析結果から、同軸伝送線の特性インピーダンスは、内部導体の直径に対する外部導体の内径の対数に比例することが判明している。中心導体を外部導体中で同軸となるように維持する為には、中心導体を誘電材料で取り囲んだ上で支持構造体が用いられる。ガラス又は他のセラミックがしばしば用いられ、一般にガラス―金属封止が支持体として用いられる。中心導体を支持する為に用いられる材料の誘電率は空気よりも高いことから、支持構造体を通じて一定のインピーダンスを維持する為には、何かを変えなければならない。適正なインピーダンスを維持する為には、外部導体の直径を大きくするか、或いは内部導体の直径を小さくしなければならない。先にも述べたように、望ましくないモードの発生を防ぐ為に、内部導体の直径を小さくすることがより一般的である。８０ＧＨｚ以上のミリメートル範囲での周波数については、一般に５０オーム程度の特性インピーダンスを維持する為に内部導体を小さくした場合、内部導体に必要とされる直径は数千分の１インチ程度である。この結果、中心導体の機械的強度が極度に損なわれるのである。
【課題を解決するための手段】
【０００５】
本発明は、高周波伝送線用の非対称支持構造体であって、グランドプレーンを提供する外部導体、誘電体を形成する電気絶縁材料によりグランドプレーン上に同軸となるように支持された、一定径を維持する中心導体と、そして誘電体と外部導体との間のグランドプレーンから離れた領域にある電磁吸収材料から成る。
【発明の効果】
【０００６】
本発明によれば、従来に比べて中心導体の機械的強度が優れた高周波伝送線を提供することができる。
【発明を実施するための最良の形態】
【０００７】
本発明は、添付図を参照しつつ特定の実施例に基づいて説明する。
【０００８】
同軸構造体は、空気を誘電体として用いる伝送線の一般的な形態である。空気はＥｒ＝１の誘電率を持つ。一般に誘電体として用いられる他の材料には、誘電率が約２．４５のＰＴＦＥ等のフッ素化ポリマーや、誘電率が４〜１０のセラミック、ガラス及び失透ガラス（devitrified glass）（ガラス−セラミック）が含まれる。
【０００９】
中心導体を外部導体中で同軸に支持する為には、図１に示すように支持構造体が必要となる。このような構造体はコネクタにも必要である。中心導体２００は、誘電体２０１及び外部導体２０２により囲まれている。中心導体２００の支持に用いられる材料の誘電率は、その支持体周囲の空気よりも高いことから、一般に５０Ω程度である適正なインピーダンスを維持する為には外部導体２０２の直径を大きくするか、内部導体２００の直径を小さくしなければならない。より一般的なのは、図２に示したように内部導体２００の直径を小さくすることである。外部導体２０２の直径を大きくした場合、望ましくないモードが生じる可能性が高い。中心導体の直径を小さくする場合、ミリメートル範囲以上の周波数であると、内部導体２００に必要とされる直径は、数千分の１インチ程度である。この結果、中心導体２００の機械的強度が極度に損なわれることになるのである。
【００１０】
本発明は、中心導体の直径を小さくする必要性を排除する為に、伝送線のコネクタ又は支持体の誘電率が変化する領域において異なる形式を採用したものである。図３は、無限のグランドプレーン３１０上に円形導体３００を浮かせた模範的な例を示すものである。この場合、特性インピーダンスは、グランドプレーン３１０から導体３００までの高さ３２０を導体３００の直径で割ったものの対数に比例すると概算される。この構成においては、最高作動周波数は中心導体とグランドプレーン間の距離の関数であり、これは容易かつ正確に制御することが出来る。この結果、支持体中において中心導体の直径を小さくする必要が回避されるのである。
【００１１】
本発明の一実施例を図４に示した。外部導体１０は非対称の穴を含んでいるが、これは外部導体１０の外側部分と同軸であり、そしてグランドプレーン１４により切り欠かれている。中心導体１１は誘電体１２によりグランドプレーン１４上に同軸となるように支持されている。電磁吸収材１３が誘電体１２と外部導体１０間のグランドプレーン１４から離れた領域に設けられている。
【００１２】
電界を発生させ、支持体の領域中において伝播する為に必要な領域を作る為に、グランドプレーンの幅は大きくしなければならない。この形状変化により、より高次のモードが発生して信号伝播を妨害する可能性がある。吸収材１３は空洞の有効Ｑ値を大幅に低下させ、このような高次モードの効果を取るに足らないものとすると考えられる。図４に示したように、吸収材１３は誘電体１２と外部導体１０との間に同軸となるように配置されている。吸収材１３の実際の構成及び組成は望ましくないモードを低減するのか、及び／又は排除するのかに応じて変化させることが可能であり、図示した構成とは異なっていても良い。電磁吸収材１３はポリアイアンや非導電性基材（nonconductive carrier）中の微小な鉄粒子等の磁性損失材料（ferromagnetic lossy material）である。ガラスやセラミック、高分子バインダ基材（Polymeric binder matrix）又は当該分野において周知の他の材料を使用することも可能である。波長に関して言えば、吸収材１３は導体１１から離れている為、吸収材１３の層厚及び配置は重要ではない。
【００１３】
図５は支持構造体を示す他の図である。１１０ＧＨｚ領域に好適な本発明の一実施例においては、外部導体１０の外側径は約４．７６ｍｍである。支持構造体の幅は約２．０８ｍｍとしたが、これは図示した支持構造体を伝送線として用いることが出来る範囲まで伸ばすことが出来るものである。中心導体１１の直径は約０．２５４ｍｍである。中心導体１１からグランドプレーン１４までの距離は約０．４５ｍｍである。４．９〜５．２の誘電率を持つ誘電体１２（ガラス、失透ガラス（devitrified glass）又はセラミック）と、約０．６０ｍｍ厚のポリアイアン製吸収バンド１３と共に使用した場合、特性インピーダンスは５０Ω程度となる。誘電率が２〜１２の範囲であればフッ素化ポリマーからセラミックやガラスまで、一定範囲の誘電材料を使用することが可能であることは言うまでもない。しかしながら非常に高い周波数を使用する場合、使用される材料は安定性が高く、低い損失正接を持つものでなければならない。
【００１４】
図３の標準的構成によれば多数のモデリングと簡単な近似が可能であるが、図４の構成は閉じた形のソリューションを可能とするには複雑過ぎる。概念的には、図３の構成においては「無限の」導電性平面３１０上に導体３００が浮遊した状態にあるが、結果的に得られる特性インピーダンスに寄与するのは導体に最も近い平面部分でなくてはならず、導体からの距離が増すにつれてその寄与度合いが減じていく。誘電体の周囲に吸収材１３を付加したことでインピーダンスがある程度低下し、これにより実際上、中心導体１１及びグランドプレーン１４間の距離は吸収材１３の効果を相殺する為に大きくしなければならない。
【００１５】
吸収材１３の配置は、採用する製造プロセスにも依存する。図１や図２に示した従来から周知の支持構造は、ガラス−金属封止（整合式ガラス−金属封止または圧縮式ガラス−金属封止のいずれか）を一般に用いている。これらの場合においては、組立部品は中心導体２００、ガラスビーズ（又はガラスフリット）誘電体２０１及び導電性外部導体スリーブ２０２から構成される。このような封止を作る場合には、従来から周知のように使用材料の熱膨張係数（ＣＴＥ）が重要となる。この組立部品を焼成することによりガラスを融解して導電性素子へと融合させるのである。
【００１６】
本発明によれば、吸収材１３はガラス融解処理中又はその後に所定位置にモールディングされる。ガラス融解処理後に配置する場合、外部導体１０とガラス誘電体１２のＣＴＥは一致していなければならず、そうしないと冷却中に破断する可能性がある。吸収材１３がガラス融解処理中に設けられる場合、使用する材料のＣＴＥに関してはより自由度が高まり、圧縮式封止が可能となる。
【００１７】
図６に示したように、図５に示した支持構造体に適正な直径に穴をあけられた導電性スリーブ１５、１６を圧着することにより、空気―誘電体同軸伝送線を形成することが出来る。インピーダンスを５０Ωとするには、空気誘電体とした場合、穴１７の直径は０．５８５ｍｍ程度である。
【００１８】
上述した本発明の詳細な記載は、説明目的で提供したものであり、本発明を網羅することや、特定の実施例に限定することを意図したものではない。よって本発明の範囲は請求項に定義されるものである。念のため、以下に本発明の実施形態を列挙する。
【００１９】
（実施態様１）
同軸伝送線の支持構造体であって、
円形の外部断面と非対称の内部穴とを有し、前記内部穴の一部分が前記外部断面と同軸となっており、前記内部穴の残りの部分が、グランドプレーン（１４）を形成する平坦部分により切り欠かれた形となっている外部導体（１０）と、
中心導体（１１）を、前記外部導体の前記外部断面と同軸となるように前記グランドプレーン上から固定された高さで支持する誘電体材料（１２）と、
前記内部穴と前記誘電体の平行部分の間にある電磁吸収材料（１３）と、
を具備した支持構造体。
【００２０】
（実施態様２）
前記支持構造体の特性インピーダンスが約５０Ωであることを特徴とする請求項１に記載の支持構造体。
【００２１】
（実施態様３）
前記誘電体（１２）がフッ素化ポリマーであることを特徴とする請求項１に記載の支持構造体。
【００２２】
（実施態様４）
前記誘電体（１２）がガラスであることを特徴とする請求項１に記載の支持構造体。
【００２３】
（実施態様５）
前記誘電体（１２）がセラミックであることを特徴とする請求項１に記載の支持構造体。
【００２４】
（実施態様６）
前記誘電体（１２）が失透ガラスであることを特徴とする請求項１に記載の支持構造体。
【００２５】
（実施態様７）
前記電磁吸収材（１３）が非導電性バインダ中の鉄であることを特徴とする請求項１に記載の支持構造体。
【図面の簡単な説明】
【００２６】
【図１】従来の同軸構造体を示す図である。
【図２】従来の同軸構造体の長手方向の図である。
【図３】本発明に基づく伝送線の一実施例を示す図である。
【図４】本発明に基づく支持構造体の断面図である。
【図５】本発明に基づく支持構造体の他の図である。
【図６】本発明に基づく伝送線の図である。
【符号の説明】
【００２７】
１０  外部導体
１１  中心導体
１２  誘電体材料
１３  電磁吸収材料
１４  グランドプレーン
【図１】
2004335465.tif 000003
【図２】
2004335465.tif 000004
【図３】
2004335465.tif 000005
【図４】
2004335465.tif 000006
【図５】
2004335465.tif 000007
【図６】
2004335465.tif 000008